(57)【要約】  創傷滲出液管理システムは、負圧を発生させるためのポンプと、ユーザの創傷を覆って保護するための包帯と、内部管腔を含む管とを含み、管は、ポンプおよび包帯が内部管腔を介して流体連通するように、ポンプと包帯との間に配設されている。包帯は、創傷に隣接して包帯を接着するための接着剤層と、創傷接触層と、圧力分散層と、創傷接触層と圧力分散層との間に配設された吸収性材料の複数の層と、第１の表面および第２の表面を有するバッキング層であって、バッキング層の第１の表面が、圧力分散層および接着剤層に隣接して接触している、バッキング層と、バッキング層の第２の表面上に配設された可撓性コネクタとを含む。
2019521726.tif 000002
【特許請求の範囲】
【請求項１】
創傷滲出液管理システムであって、
負圧を発生させるためのポンプと、
創傷を覆って保護するための包帯であって、
前記創傷に隣接して前記包帯を接着するための接着剤層と、
前記創傷に接触するための創傷接触層と、
圧力分散層と、
前記創傷接触層と前記圧力分散層との間に配設された吸収性材料の複数の層と、
第１の表面および第２の表面を有するバッキング層と、を備え、前記バッキング層の前記第１の表面が、前記圧力分散層および前記接着剤層に隣接して接触している、包帯と、
内部管腔を有する圧力管であって、前記ポンプおよび前記包帯が前記内部管腔を介して流体連通するように、前記ポンプと前記包帯との間に配設された、圧力管と、
前記バッキング層の前記第２の表面に接続された可撓性コネクタと、を備える、創傷滲出液管理システム。
【請求項２】
前記包帯が、前記圧力分散層および前記創傷接触層の接合された周辺部分によって形成されたエンベロープ構造を含み、前記エンベロープ構造が、空洞を画定する、請求項１に記載の創傷滲出液管理システム。
【請求項３】
前記圧力分散層に接続された熱可塑性スパンレース層と、前記創傷接触層に接続された不織布スパンレース層と、をさらに備え、前記熱可塑性スパンレース層および前記不織布スパンレース層の周辺部分を接合することによってエンベロープ構造が形成され、その結果、前記吸収性材料の複数の層が実質的に前記エンベロープ構造の内部空洞内に配設される、請求項１に記載の創傷滲出液管理システム。
【請求項４】
前記吸収性材料が、前記エンベロープ構造の前記空洞内に配設されている、請求項１〜３のいずれか一項に記載の創傷滲出液管理システム。
【請求項５】
前記吸収性材料が、カルボキシメチル化されたセルロース繊維を含む、請求項１〜４のいずれか一項に記載の創傷滲出液管理システム。
【請求項６】
前記創傷接触層が、カルボキシメチル化されたセルロース繊維を含む、請求項１〜５のいずれか一項に記載の創傷滲出液管理システム。
【請求項７】
前記創傷接触層が、強化ナイロンステッチを有する、請求項１〜６のいずれか一項に記載の創傷滲出液管理システム。
【請求項８】
前記圧力分散層が、網状発泡体を含む、請求項１〜７のいずれか一項に記載の創傷滲出液管理システム。
【請求項９】
前記吸収性材料の複数の層のうちの１つ以上に開窓をさらに備える、請求項１〜８のいずれか一項に記載の創傷滲出液管理システム。
【請求項１０】
前記可撓性コネクタ内に配設された圧力搬送部材をさらに備える、請求項１〜９のいずれか一項に記載の創傷滲出液管理システム。
【請求項１１】
上部吸収剤インジケータ部材と、上部接着部材と、をさらに備え、前記上部接着部材が、前記可撓性コネクタおよび前記上部吸収剤インジケータ部材を前記バッキング層に接着する、請求項１〜１０のいずれか一項に記載の創傷滲出液管理システム。
【請求項１２】
創傷滲出液管理システムであって、
創傷を覆って保護するための包帯を備え、前記包帯が、
創傷接触層であって、前記創傷接触層が、第１の表面および第２の表面を有し、周辺領域および中央領域をさらに有し、前記包帯が前記創傷に隣接して皮膚に接着されるときに、前記創傷接触層の前記第１の表面が前記創傷に接触する、創傷接触層と、
周辺領域および中央領域を有する圧力分散層と、
前記創傷接触層の前記第２の表面と前記圧力分散層との間に配設された吸収性材料の複数の層と、
前記圧力分散層の前記周辺領域を前記創傷接触層の前記第２の表面の前記周辺領域と接合することによって形成されるエンベロープと、を備え、前記吸収性材料の複数の層が、実質的に前記エンベロープの内部空洞内に配設される、創傷滲出液管理システム。
【請求項１３】
前記圧力分散層に接続された熱可塑性スパンレース層と、前記創傷接触層に接続された不織布スパンレース層と、をさらに備え、前記エンベロープが、前記熱可塑性スパンレース層および前記不織布スパンレース層の周辺部分を接合することによって形成され、前記エンベロープの前記内部空洞が、前記不織布スパンレース層および前記熱可塑性スパンレース層によって形成され、前記吸収性材料の複数の層が、実質的に前記エンベロープの内部空洞内に配設される、請求項１２に記載の創傷滲出液管理システム。
【請求項１４】
前記吸収性材料が、カルボキシメチル化されたセルロース繊維を含む、請求項１２または１３に記載の創傷滲出液管理システム。
【請求項１５】
前記創傷接触層が、カルボキシメチル化されたセルロース繊維を含む、請求項１２または１３に記載の創傷滲出液管理システム。
【請求項１６】
創傷滲出液管理システムであって、前記創傷滲出液管理システムが、
創傷を覆って保護するための包帯であって、創傷接触層、バッキング層、および前記創傷接触層と前記バッキング層との間の吸収性材料層の少なくとも１つの層を備える、包帯と、
内部管腔を有する可撓性コネクタであって、前記包帯の前記バッキング層に固設された、可撓性コネクタと、
前記バッキング層と前記可撓性コネクタとの間のインジケータと、
内部管腔を有する管であって、前記可撓性コネクタに接続され、前記可撓性コネクタの前記内部管腔と前記管の前記内部管腔とが、流体連通している、管と、
前記管の前記内部管腔内に配設された圧力搬送部材と、を備える、創傷滲出液管理システム。
【請求項１７】
前記圧力搬送部材が、可撓性格子構造を含む、請求項１６に記載の創傷滲出液管理システム。
【請求項１８】
前記圧力搬送部材が、前記可撓性コネクタ内に配設されている、請求項１６または１７に記載の創傷滲出液管理システム。
【請求項１９】
前記可撓性コネクタが、実質的に平面の外部表面を有する、請求項１６に記載の創傷滲出液管理システム。
【請求項２０】
創傷滲出液管理システムであって、
負圧を発生させるためのポンプと、
創傷を覆って保護するための包帯であって、創傷接触層、バッキング層、および前記創傷接触層と前記バッキング層との間の吸収性材料の少なくとも１つの層を備える、包帯と、
前記ポンプと前記包帯とを接続する管であって、前記管が、内部管腔であって、前記内部管腔を介して流体連通する状態に前記ポンプおよび前記包帯を配置するための、内部管腔を有する、管と、
前記ポンプが前記管から切断されたときに前記包帯内の負圧を維持するための、前記ポンプと前記包帯との間の直列の一方向弁と、を備える、創傷滲出液管理システム。
【請求項２１】
前記一方向弁が、前記ポンプおよび前記管のうちの１つに接続されている、請求項２０に記載の創傷滲出液管理システム。
【請求項２２】
創傷滲出液管理システムであって、
負圧を発生させるためのポンプと、
創傷を覆って保護するための包帯と、
内部管腔を有する圧力管であって、前記ポンプおよび前記包帯が前記圧力管の前記内部管腔を介して流体連通するように、前記ポンプと前記包帯との間に配設された、圧力管と、
前記包帯内に配設された吸収性材料の複数の層と、を備え、前記吸収性材料が、創傷滲出液との接触時に膨潤して、前記包帯の一部分を通る創傷滲出液の流れを管理する繊維を有する、創傷滲出液管理システム。
【請求項２３】
前記吸収性材料内の前記繊維が、カルボキシメチル化されたセルロース繊維を含む、請求項２２に記載の創傷滲出液管理システム。
【請求項２４】
前記吸収性材料内の前記繊維が、創傷滲出液が前記吸収性材料に導入される前の第１の体積を有し、前記吸収性材料内の前記繊維が、創傷滲出液が前記吸収性材料に導入された後の第２の体積を有し、前記第２の体積が、前記第１の体積よりも大きい、請求項２２または２３に記載の創傷滲出液管理システム。
【請求項２５】
前記繊維が前記創傷滲出液と接触した際に膨潤した後に、前記繊維間の通路の体積が低下する、請求項２２または２３に記載の創傷滲出液管理システム。
【請求項２６】
創傷に負圧を印加する際に使用するための負圧創傷包帯であって、
前記創傷からの滲出液を吸収し、中を通る流体の通過を可能にすることができる吸収剤層と、
前記創傷から最も遠い前記吸収剤層の側を覆う外側カバー層であって、前記創傷に負圧が印加されることを可能にするように適合され、ポートを有する、外側カバー層と、
前記ポートに取り付けられた近位端および遠位端を有する導管であって、前記包帯が、前記創傷から前記吸収剤層を通って、前記ポート、および前記導管の前記遠位端までの流体の経路を備える、導管と、
前記吸収剤層と前記導管の前記遠位端との間の位置で前記経路内に位置決めされたインジケータと、を備え、インジケータ手段が、滲出液を吸収して、前記創傷から最も遠い前記吸収剤層の側の滲出液の存在を指示することができる、負圧創傷包帯。
【請求項２７】
前記インジケータ手段が、前記創傷から最も遠い前記吸収剤層の側の滲出液の存在の視覚的指示を付与する、請求項２６に記載の負圧創傷包帯。
【請求項２８】
前記インジケータ手段が、前記包帯のユーザに見えるように位置する、請求項２６または２７に記載の負圧創傷包帯。
【請求項２９】
前記インジケータ手段が、前記カバー層の前記ポート内に位置する、請求項２６〜２８のいずれか一項に記載の負圧創傷包帯。
【請求項３０】
前記インジケータ手段が、前記導管内に位置する、請求項２６〜２９のいずれか一項に記載の負圧創傷包帯。
【請求項３１】
前記インジケータ手段が、ゲルを形成することによって、滲出液を吸収したことを視覚的に指示するゲル化吸収剤である、請求項２６〜３０のいずれか一項に記載の負圧創傷包帯。
【請求項３２】
前記インジケータ手段が、色を変化させることによって、滲出液を吸収したことを視覚的に指示する、請求項２６〜３１のいずれか一項に記載の負圧創傷包帯。
【請求項３３】
前記インジケータ手段が、ゲル形成繊維の層である、請求項２６〜３２のいずれか一項に記載の負圧創傷包帯。
【請求項３４】
前記外側カバー層が、液体および空気の侵入に抵抗するが、前記創傷からの水蒸気透過を可能にするバリア層である、請求項２６〜３３のいずれか一項に記載の負圧創傷包帯。
【請求項３５】
前記包帯が、前記包帯と前記創傷との間に流体密封シールを提供する接着剤によって前記創傷を取り囲む皮膚に接着される、請求項２６〜４２のいずれか一項に記載の負圧創傷包帯。
【請求項３６】
分配層が、前記吸収剤層と前記カバー層との間に位置決めされ、前記吸収剤層を横切る滲出液の広がりを助けるのに役立つ、請求項２５〜３５のいずれか一項に記載の負圧創傷包帯。
【請求項３７】
前記分配層が、発泡体層である、請求項３６に記載の負圧創傷包帯。
【請求項３８】
前記導管の前記遠位端が、負圧源に接続されている、請求項２６〜３７のいずれか一項に記載の負圧創傷包帯。
【請求項３９】
前記負圧源が、バッテリ駆動式ポンプである、請求項３８に記載の負圧創傷包帯。
【請求項４０】
請求項２６に記載の創傷包帯と、前記導管の前記遠位端に接続された負圧源と、を備える、負圧システム。
【請求項４１】
前記包帯と前記負圧源との間に接続され、これらの間で流体連通する流体収集チャンバをさらに備える、請求項４０に記載の負圧システム。
【請求項４２】
前記吸収剤層が前記カバー層によってフレーム付けされるように、前記吸収剤層が、前記カバー層よりも小さく、かつ前記カバー層の外側の外周内にアイランドとして位置決めされている、請求項２６〜４１のいずれか一項に記載の負圧創傷包帯。
【請求項４３】
前記カバー層が、その下面に接着剤を備え、前記接着剤は、流体密封シールを用いて前記創傷を取り囲む皮膚に前記包帯を接着する、請求項４２に記載の負圧創傷包帯。
【請求項４４】
前記吸収剤層が、前記創傷と直接接触している、請求項２６〜４３のいずれか一項に記載の負圧創傷包帯。
【請求項４５】
前記包帯が、前記創傷と前記吸収剤層との間に位置決めされた創傷接触層をさらに含む、請求項２６〜４４のいずれか一項に記載の負圧創傷包帯。
【請求項４６】
前記導管が、その遠位端に一方向弁をさらに備える、請求項２６〜４５のいずれか一項に記載の負圧創傷包帯。
【請求項４７】
前記導管が、その遠位端にルアーロックをさらに備える、請求項２６〜４６のいずれか一項に記載の負圧創傷包帯。
【請求項４８】
前記インジケータ手段が、遠隔警報、例えば、滲出液の吸収時の可聴警報を作動させる、請求項２６に記載の負圧創傷包帯。
【発明の詳細な説明】
【技術分野】
【０００１】
関連出願の相互参照
本出願は、２０１６年５月９日に出願された英国特許出願第１６０８０９９．６号および２０１６年８月３日に出願された米国仮特許出願第６２／３７０，６６７号の利益を主張しており、これらは共に参照により本明細書に明確に組み込まれ、本明細書の一部をなす。
【０００２】
本開示は、概して、創傷包帯システムに関し、特に、負圧ポンプと共に使用するための創傷包帯システムに関する。さらに、本発明は、負圧源と共に使用して負圧治療を施すことができる包帯で創傷を処置するための包帯、システム、およびキットに関する。包帯は、感染創傷、静脈潰瘍、糖尿病性潰瘍、火傷、外科的創傷などを含む慢性および急性のタイプを含む様々な創傷の処置に適している。
【背景技術】
【０００３】
創傷包帯は、公知であり、かつ概して、感染創傷、静脈潰瘍、糖尿病性潰瘍、火傷、および外科的創傷などの慢性および急性の創傷タイプを含む様々な創傷を処置するのに適している。
【０００４】
広範囲の慢性および急性の創傷を処置するために負圧が使用されてきた。負圧は、過剰な滲出液の除去、創傷周囲浮腫の低減、および灌流の増加を含むいくつかの機構によって創傷治癒を容易にし得る。これは、創傷縁部を一緒に引っ張る負圧によって及ぼされる物理的な力と組み合わせると、改善された創傷の予後をもたらし得る。従来のデバイスは、概して大きく、負圧を発生させるための吸引ポンプ、圧力調整器、創傷滲出液の収集のためのキャニスタ、および創傷部位に治療を施すための創傷包帯を含み得る高度な機器の使用が必要である。結果として、かかるデバイスは、かさがあり、高価であり、患者をベッドに拘束するか、または少なくとも患者を運動不能にし、患者の通常の活動を行うことができないようにすることがある。
【０００５】
より最近では、創傷包帯内の、典型的には吸収性材料中の滲出液を収集し、包帯を通して蒸発させることにより、創傷によって生成された滲出液を管理するための手段を含むポータブルシステムが開発されている。かかるシステムは、別個の収集キャニスタがシステムの不可欠な部分ではないかもしれないことを意味する。かかるシステムは、ＥＰ２０２１０４６に記載されている。キャニスタを必要としない利点は、デバイスがより少ないかさで、よりポータブルであることである。かかるデバイスの欠点は、包帯がその流体処理能力を超える場合、滲出液が吸収性材料（複数可）から引き出され、ポンプに入る可能性があることである。ポンプ内に滲出液が存在すると、最終的にはポンプが故障し、交換が必要になるであろう。システムによって提供される治療はまた、過剰な滲出液が創傷界面に集まる可能性があるため、最適ではない可能性がある。滲出液によるポンプの汚染を防止するために、吸収性材料とポンプとの間にバリア層を設けることが知られている。しかしながら、液体バリア層は、包帯がその流体処理能力を超えており、変更する必要があるという指示を、デバイスのユーザまたは介護者に付与しない。
【発明の概要】
【発明が解決しようとする課題】
【０００６】
キャニスタが存在するデバイスでは、キャニスタ内の滲出液の存在によって、どの程度の滲出液が創傷によって生成されているかの視覚的指示をユーザまたは介護者に付与する。しかしながら、キャニスタ内の滲出液の存在は、包帯がその流体処理能力を超えた場合にのみ生じる。包帯を交換する必要があるという早期の警告はない。
【０００７】
包帯がその流体処理能力に達したか、またはそれを超えたという指示の必要性がある。
【０００８】
加えて、既存のポータブル負圧創傷包帯システムは、多くの場合、剛性の包帯および接続構成要素を含み、システムの有用性およびユーザの快適性に悪影響を与える。さらに、既存のポータブル負圧創傷包帯システムは、包帯内の創傷滲出液の管理を最大にするように配列された吸収性材料および追加の創傷包帯構成要素を利用していない。したがって、これらおよび他の特徴を組み込んだポータブル滲出液管理システムの必要性がある。本開示は、従来技術の限界および他の欠点を克服し、従来利用できなかった新しい特徴を提供することを目指している。本開示の特徴および利点の完全な議論は、添付の図面を参照して以下の詳細な説明に進む。
【課題を解決するための手段】
【０００９】
一実施態様では、本開示は、創傷に負圧を印加する際に使用するための負圧創傷包帯であって、創傷からの滲出液を吸収し、中を通る流体の通過を可能にすることができる吸収剤層と、創傷から最も遠い吸収剤層の側を覆う外側カバー層であって、創傷に負圧が印加されることを可能にするように適合され、ポートを有する、外側カバー層と、ポートに取り付けられた近位端および遠位端を有する導管であって、包帯が、創傷から吸収剤層を通って、ポート、および導管の遠位端までの流体の経路を備える、導管と、吸収剤層と導管の遠位端との間の位置で経路内に位置決めされたインジケータ手段とを備え、インジケータ手段が、滲出液を吸収して、創傷から最も遠い吸収剤層の側における滲出液の存在を指示することができる、負圧創傷包帯を提供する。
【００１０】
さらなる実施態様では、本開示は、創傷に負圧を印加する際に使用するための負圧創傷包帯であって、創傷からの滲出液を吸収し、中を通る流体の通過を可能にすることができる吸収剤層と、創傷から最も遠い吸収剤層の側を覆う外側カバー層であって、創傷に負圧が印加されることを可能にするように適合され、ポートを有する、外側カバー層と、ポートに取り付けられた近位端および遠位端を有する導管であって、包帯が、創傷から吸収剤層を通って、ポート、および導管の遠位端までの流体の経路を備える、導管と、吸収剤層と導管の遠位端との間の位置で経路内に位置決めされたインジケータ手段であって、滲出液を吸収して、創傷から最も遠い吸収剤層の側における滲出液の存在を指示することができる、インジケータ手段と、導管の遠位端に接続された負圧源とを備える、負圧創傷包帯を提供する。
【００１１】
好ましくは、負圧源は、創傷において最小７５ｍｍＨｇおよび最大１２５ｍｍＨｇを発生させることができる。
【００１２】
開示される主題の技術のいくつかの実施形態では、創傷滲出液管理システムが提供される。一実施形態では、創傷滲出液管理システムは、負圧を発生させるためのポンプと、創傷を覆って保護するための包帯であって、創傷に隣接して包帯を接着するための接着剤層と、創傷に接触するための創傷接触層と、圧力分散層と、創傷接触層と圧力分散層との間に配設された吸収性材料の複数の層と、第１の表面および第２の表面を有するバッキング層であって、バッキング層の第１の表面が、圧力分散層および接着剤層に隣接して接触している、バッキング層とを備える、包帯と、内部管腔を有する圧力管であって、ポンプおよび包帯が内部管腔を介して流体連通するように、ポンプと包帯との間に配設された、圧力管と、バッキング層の第２の表面に接続された可撓性コネクタとを備える。
【００１３】
開示される技術はさらに、創傷を覆って保護するための包帯に関する。開示される技術はさらに、創傷滲出液管理システムであって、創傷滲出液管理システムが、創傷を覆って保護するための包帯であって、包帯が、創傷接触層であって、創傷接触層が、第１の表面および第２の表面を有し、周辺領域および中央領域をさらに有し、包帯が創傷に隣接して皮膚に接着されるときに、創傷接触層の第１の表面が創傷に接触する、創傷接触層と、周辺領域および中央領域を有する圧力分散層と、創傷接触層の第２の表面と圧力分散層との間に配設された吸収性材料の複数の層とを備える、包帯と、圧力分散層の周辺領域を創傷接触層の第２の表面の周辺領域と接合することによって形成されるエンベロープとを備え、吸収性材料の複数の層が、実質的にエンベロープの内部空洞内に配設されている、創傷滲出液管理システムに関する。代替的に、圧力分散層に接続された熱可塑性スパンレース層の周辺領域を創傷接触層の第２の表面に接続された不織布スパンレース層の周辺領域と接合することによってエンベロープが形成され得、その結果、吸収性材料の複数の層が実質的にエンベロープの内部空洞内に配設される。
【００１４】
開示される技術はさらに、創傷滲出液管理システムであって、圧力分散層に接続された熱可塑性スパンレース層と、創傷接触層に接続された不織布スパンレース層とをさらに備え、エンベロープが、熱可塑性スパンレース層および不織布スパンレース層の周辺部分を接合することによって形成され、エンベロープの内部空洞が、不織布スパンレース層および熱可塑性スパンレース層によって形成され、吸収性材料の複数の層が、実質的にエンベロープの内部空洞内に配設される、創傷滲出液管理システムに関する。
【００１５】
開示される技術はさらに、創傷滲出液管理システムであって、創傷滲出液管理システムが、創傷を覆って保護するための包帯であって、創傷接触層、バッキング層、および創傷接触層とバッキング層との間の吸収性材料層の少なくとも１つの層を備える、包帯と、内部管腔を有する可撓性コネクタであって、包帯のバッキング層に固設された、可撓性コネクタと、バッキング層と可撓性コネクタとの間のインジケータと、内部管腔を有する管であって、管が、可撓性コネクタに接続され、可撓性コネクタの内部管腔と管の内部管腔とが、流体連通している、管と、管の内部管腔内に配設された圧力搬送部材とを備える、創傷滲出液管理システムに関する。
【００１６】
開示される技術はさらに、創傷滲出液管理システムであって、負圧を発生させるためのポンプと、創傷を覆って保護するための包帯であって、創傷接触層、バッキング層、および創傷接触層とバッキング層との間の吸収性材料の少なくとも１つの層を備える、包帯と、ポンプと包帯とを接続する管であって、管が、内部管腔であって、内部管腔を介して流体連通する状態にポンプおよび包帯を配置するための、内部管腔を有する、管と、ポンプが管から切断されたときに包帯内の負圧を維持するための、ポンプと包帯との間の直列の一方向弁とを備える、創傷滲出液管理システムに関する。
【００１７】
開示される技術はさらに、創傷滲出液管理システムであって、負圧を発生させるためのポンプと、創傷を覆って保護するための包帯と、内部管腔を含む管であって、ポンプおよび包帯が管の内部管腔を介して流体連通するように、ポンプと包帯との間に配設された、管と、包帯内に配設された吸収性材料の複数の層とを備え、吸収性材料が、創傷滲出液との接触時に膨潤して、包帯の一部分を通る創傷滲出液の流れを管理する繊維を有する、創傷滲出液管理システムに関する。
【００１８】
創傷滲出液管理システムのいずれかにおいて、本システムは、創傷とポンプなどの負圧源との間の流体連通を可能にするように適合されてもよい。典型的には、創傷から創傷接触層を通り、包帯内に配設された吸収性材料の１つ以上の層を通って、負圧源まで流体連通経路が設けられている。流体連通経路は、任意選択で可撓性コネクタの内部管腔または導管を介して、バッキング層内の開口部を通って、管の内部管腔に延在し得る。吸収剤インジケータ部材などのインジケータが存在する場合、流体連通経路もインジケータを通って延在し得る。
【００１９】
典型的には、可撓性コネクタは、可撓性コネクタの長手方向軸に平行に延びる内部管腔または導管を有する細長いものであり、可撓性コネクタは、可撓性コネクタの長手方向軸がバッキング層の平面に実質的に平行であるような向きで、包帯のバッキング層内の開口部に取り付けられる。可撓性部材は、接着剤または他の手段を介してバッキング層に固設するためのヘッド部分を含み得る。典型的には、流体連通経路は、可撓性コネクタの内部管腔または導管から、バッキング層内の開口部を通って、可撓性コネクタの長手方向軸と実質的に直角をなす方向に延在する。一旦固設されると、可撓性コネクタとバッキング層との間に流体密封シールが形成され得る。
【００２０】
上記実施形態のいずれにおいても、インジケータ手段の存在は、ユーザまたは介護者に包帯を変更する必要性の指示が付与されるという利点を有し得る。インジケータ手段により、ユーザまたは介護者が包帯を変更し、ポンプの汚染を防止することが可能になる。創傷から最も遠い吸収剤層の側における滲出液の存在は、吸収剤層がかなりの量の滲出液を吸収したときに生じる。インジケータ手段が包帯の導管内に位置し、滲出液の吸収によって誘発される場合、滲出液は、創傷から最も遠い吸収剤層の側に存在するだけでなく、カバー層を越えて導管内に引き出されている。これは、包帯の流体処理能力が達成されたかまたはまもなく達成されること、および包帯の変更が推奨されるという警告をユーザまたは介護者に付与する。インジケータ手段は、包帯がその流体処理能力に到達したこと、および滲出液が包帯から導管内に引き込まれ、最終的にポンプ内に引き込まれる可能性があるという指示を付与することがあり、これは、望ましくない。
【００２１】
インジケータ手段は、視覚的であり得るか、または可聴警報もしくは他の信号をもたらし得る。好ましくは、インジケータ手段は、視覚的であり、それが包帯のユーザに見えるように位置する。例えば、視覚的インジケータ手段は、カバー層のポート内に位置し得るか、または導管内に、もしくはポートおよび導管内の両方に位置し得る。同様に、創傷滲出液管理システムでは、視覚的インジケータ手段は、バッキング層内の開口部を縦貫するように位置し得るか、および／または可撓性コネクタの内部管腔もしくは導管内に位置し得る。好ましくは、視覚的インジケータ手段は、ゲルを形成することによって、滲出液を吸収したことを視覚的に指示するゲル化吸収剤である。滲出液が着色している場合は、ゲルも着色され、視覚的指示に追加される。代替的に、視覚的インジケータ手段は、例えば、インジケータ手段内の染料の活性化によって色を変化させることによって、滲出液を吸収したことを指示することができる。
【００２２】
好ましくは、インジケータ手段は、ゲル形成繊維によって提供される。ゲル形成繊維とは、創傷滲出液の取り込み時に湿って滑りやすくなるかまたはゼラチン状になる吸湿性繊維を意味する。ゲル形成繊維は、これらの構造的完全性を滲出液の吸収時に保持するタイプのものであり得るか、またはこれらの繊維状形態を失って非晶質もしくは無構造のゲルとなるタイプのものであり得る。ゲル形成繊維は、好ましくは、ナトリウムカルボキシメチルセルロース繊維、化学修飾されたセルロース繊維、ＷＯ２０１２／０６１２２５に記載されているようなアルキルスルホネート修飾セルロース繊維、ペクチン繊維、アルギン酸繊維、キトサン繊維、ヒアルロン酸繊維、または他の多糖繊維もしくはガム由来の繊維である。セルロース繊維は、好ましくは、グルコース単位当たり少なくとも０．０５個のカルボキシメチル基の置換度を有する。ゲル形成繊維は、好ましくは、（自由膨潤法によって測定される場合）繊維１グラム当たり少なくとも２グラムの０．９％生理食塩水の吸収性を有する。
【００２３】
ゲル形成繊維は、好ましくは、布帛、特にＡｚｋｏ  Ｎｏｂｅｌ  ＵＫ  ＬｔｄのＰＣＴ  ＷＯ００／０１４２５に記載されているカルボキシメチル化されたセルロース繊維の形態の化学修飾されたセルロース繊維である。このようにして、インジケータ手段は、好ましくは、カバー層のポート内に位置するゲル形成繊維の層によって、または導管内の繊維の層として提供され得る。繊維の層はまた、導管内に存在するとき、導管がねじれているか、または別様にユーザによって横臥されるかもしくは寄りかけられることによって制限されている場合には、流体の通路に対して導管を開いた状態に保つのに役立ち得る。カルボキシメチル化されたセルロース布帛は、好ましくは、（ＷＯ００／０１４２５に定義される）ＩＲ分光法によって測定される場合に、０．１２〜０．３５の間の置換度、より好ましくは、０．２０〜０．３０の間の置換度を有し、吸収性が増加するように織布または不織布のセルロース布帛をカルボキシメチル化することによって作製される。特に好ましい布帛は、ＢＳ  ＥＮ  １３７２６−１（２００２）「Ｔｅｓｔ  ｍｅｔｈｏｄｓ  ｆｏｒ  ｐｒｉｍａｒｙ  ｗｏｕｎｄ  ｄｒｅｓｓｉｎｇｓ」の３．２節「Ｆｒｅｅ  ｓｗｅｌｌ  ａｂｓｏｒｐｔｉｖｅ  ｃａｐａｃｉｔｙ」に記載されている方法によって測定される場合、上記で定義される１０ｇ／ｇの塩化ナトリウム／カルシウム〜３０ｇ／ｇの塩化ナトリウム／カルシウムの間の吸収性を有する。特に好ましい布帛は、上記で定義される方法によって測定される場合、１５ｇ／ｇ〜２５ｇ／ｇ、最も好ましくは、１５ｇ／ｇ〜２０ｇ／ｇの塩化ナトリウム／カルシウムの吸収性を有する。
【００２４】
セルロース布帛は、好ましくは、セルロース繊維のみからなるが、非セルロース織物繊維またはゲル形成繊維の割合を含有し得る。セルロース繊維は、公知の種類のものであり、連続フィラメント糸および／またはステープル繊維を含み得る。カルボキシメチル化は、概して、水性系中で布帛をアルカリおよびカルボキシメチル化剤、例えば、クロロ酢酸と接触させることによって遂行される。布帛は、好ましくは、包帯を切断する際に創傷内のシェディングを低減する不織布のものである。好ましくは、布帛は、水流交絡されており、したがって、微視的なスケールで一連の孔を備える。
【００２５】
包帯の吸収剤層は、創傷からの滲出液を吸収し、中を通る流体の通過を可能にすることができる。吸収剤層は、滲出液を吸収することができる一方で、例えば、発泡体、スポンジ、または繊維ベースの材料の中を通る流体の通過を可能にする任意の吸収剤を含み得、好ましくは、吸収剤層は、インジケータ手段で使用されるものと同じタイプまたは異なるタイプのゲル形成繊維によって提供される。ゲル形成繊維は、創傷滲出液の取り込み時に湿って滑りやすくなるかまたはゼラチン状になるため、取り囲む繊維が創傷に接着する傾向を低減する吸湿性繊維である。ゲル形成繊維は、好ましくは、ナトリウムカルボキシメチルセルロース繊維、化学修飾されたセルロース繊維、ＷＯ２０１２／０６１２２５に記載されているようなアルキルスルホネート修飾セルロース繊維、ペクチン繊維、アルギン酸繊維、キトサン繊維、ヒアルロン酸繊維、または他の多糖繊維もしくはガム由来の繊維である。セルロース繊維は、好ましくは、グルコース単位当たり少なくとも０．０５個のカルボキシメチル基の置換度を有し、より好ましくは、繊維の吸収性が限定されるように軽度に置換される。ゲル形成繊維は、好ましくは、（上に記載される方法によって測定される場合）繊維１グラム当たり少なくとも２グラムの０．９％生理食塩水、但し、繊維１グラム当たり３０グラム未満の０．９％の生理食塩水の吸収性を有する。ゲル形成繊維は、好ましくは、軽度にカルボキシメチル化されたセルロース繊維を記載するＡｚｋｏ  Ｎｏｂｅｌ  ＵＫ  ＬｔｄのＰＣＴ  ＷＯ００／０１４２５に記載されているカルボキシメチル化されたセルロース繊維であり、より好ましくは、インジケータ手段内で使用されるタイプのものである。ゲル形成繊維は、好ましくは、吸収剤層がゲルブロックする傾向を低減させ、創傷から吸収剤層を通って、ポート、および導管の遠位端までの流体の経路をブロックするために、軽度にカルボキシメチル化される。
【００２６】
好ましくは、吸収剤層は、創傷への負圧の印加を助け、創傷から吸収剤層を通る流体の経路を維持するための開窓を備える。しかしながら、典型的には、開窓は、内部吸収剤層内にのみ設けられる。創傷に直接接触するものを含む外部吸収剤層は、概して、機械的に追加された開窓を有さないが、繊維間に開口部を有する。
【００２７】
吸収剤層は、創傷と直接接触し得るが、好ましくは、包帯は、創傷と吸収剤層との間に位置決めされた創傷接触層を備える。創傷接触層は、創傷からの滲出液を吸収し、それを吸収剤層に透過させることができる。吸収剤層と同様に、創傷接触層は、負圧が創傷に印加され得、創傷から導管の遠位端までの流体の経路が維持され得るように、中を通る液体の通過を可能にすることができる。
【００２８】
好ましくは、創傷接触層は、吸収剤層を含むものと同じまたは類似のタイプのゲル形成繊維を含むが、創傷接触層は、その完全性および包帯の完全性を増加させるように強化されてもよい。例えば、創傷接触層は、ＥＰ１９０４０１１に記載されているタイプのものであってもよく、層の完全性を増加させるために、セルロースまたはナイロンもしくはポリオレフィン糸で作製された長手方向のステッチのラインを有するマットの形態のゲル形成繊維を含み得る。好ましくは、創傷接触層は、創傷から導管の遠位端までの流体の経路を維持する多孔性である。
【００２９】
包帯の外側カバー層は、好ましくは液体および空気の侵入に抵抗するが、水蒸気透過を可能にする、細菌およびウイルスのバリア層である。このようにして、外側カバー層は、カバーを通る水蒸気の漏出を可能にすることによって包帯の全体的な流体処理能力を高めつつ、創傷への負圧の印加を可能にする。外側カバー層は、例えば、ＢＳ  ＥＮ１３７２６−２  ２００２「Ｔｅｓｔ  ｍｅｔｈｏｄｓ  ｆｏｒ  ｐｒｉｍａｒｙ  ｗｏｕｎｄ  ｄｒｅｓｓｉｎｇｓ  Ｐａｒｔ  ２  Ｍｏｉｓｔｕｒｅ  ｖａｐｏｕｒ  ｔｒａｎｓｍｉｓｓｉｏｎ  ｒａｔｅ  ｏｆ  ｐｅｒｍｅａｂｌｅ  ｆｉｌｍ  ｄｒｅｓｓｉｎｇｓ」に記載されている方法によって測定された、２４時間当たり少なくとも１０，０００ｇ  ｍ−２の、または２４時間当たり１０，０００ｇｍ−２〜５０，０００ｇ  ｍ−２の範囲のＭＶＴＲを有する層である。カバー層は、ポリウレタンのフィルム、例えば、Ｃｏｖｅｓｔｒｏ製のＥｐｕｒｅｘ  ９１２  Ｔ／１２９、またはＣｏｖｅｒｉｓ製のＩｎｓｐｉｒｅ  ２３５０、またはＭｙｌａｎ製のＭｅｄｉｆｉｌｍ  ４２６の形態であってもよい。
【００３０】
カバー層は、導管に接続するためのポートを備える。ポートは、好ましくは、吸収剤層を覆うカバー層のその部分に、但し、包帯（または使用時の創傷）の中心と直接垂直に位置合わせされないように吸収剤層の周辺に向かって位置する。これは、吸収剤層の全範囲を横切って滲出液が広がるのを助ける。
【００３１】
包帯の導管は、好ましくは、カバー層のポートを上方から取り囲むように、導管の近位端でカバー層の外側に固設された透明な連絡通路である。この様式では、視覚的インジケータがカバー層のポート内および／または導管自体の中に位置する場合、視覚的インジケータをユーザは見ることができる。同様に、創傷滲出液管理システムが可撓性コネクタを備える場合、可撓性コネクタは、視覚的インジケータをユーザが見ることができるように、部分的または全体的に透明であってもよい。典型的には、可撓性コネクタのヘッドは透明である。包帯の導管は、その遠位端に、包帯を負圧源、例えば、ポンプに接続するためのコネクタを備え得る。好ましくは、コネクタは、ポンプへの確実な接続を容易にし、ポンプが一時的に切断されている間に創傷への負圧を維持するためのルアーロックである。コネクタは、好ましくは、負圧の維持を助ける一方向ロックを備える。視覚的インジケータは、導管内に位置し得、ゲル形成繊維の結び合わされたシリンダなどの形態であり得る。虚脱に耐えるために、導管は、導管の流体への開放を維持するためのナイロン繊維の内部シリンダを備え得る。
【００３２】
包帯は、吸収剤層と外側カバー層との間に位置する分配層、例えば、圧力分配層をさらに備え、分配層は、気体および液体透過性、特に水蒸気透過性であり、滲出液が分配層の下に広がることを可能にすることによって、吸収剤層のより大きな面積への滲出液のアクセスを助けるのに役立つ。分配層はまた、包帯全体にわたって創傷に印加される負圧を均一にするのに役立つ。分配層は、好ましくは、包帯上に滲出液および負圧を分配する。このようにして、滲出液が吸収剤層を通り過ぎ、インジケータ手段を作動させ、創傷への負圧の移行が最適化される前に、吸収剤層による滲出液の取り込みが最大になる。分配層は、好ましくは、Ｃａｌｉｇｅｎ製のタイプＸＤ４２００ＡＳのポリエステル発泡体または他の好適な網状発泡体などの発泡体層である。
【００３３】
包帯はまた、創傷を取り囲む皮膚に包帯を接着させて流体密封シールを形成するための接着剤層などの追加の任意選択的の層を備え得る。接着剤層は、創傷に最も近い包帯の側に印加され得、包帯を通る滲出液および流体の輸送を助ける穿孔を備える。接着剤層を他の層のいずれかに適用して、カバー層などにアイランド構成を提供することもできる。
【００３４】
主題の技術の他の実施形態および構成は、主題の技術の様々な構成が、例示として示され、記載される以下の詳細な説明から当業者に容易に明らかになるであろうことが理解される。理解されるように、主題の技術は、他の異なる構成が可能であり、そのいくつかの詳細は、全て主題の技術の範囲から逸脱することなく、様々な他の態様での修正が可能である。したがって、図面および詳細な説明は、本質的に例証的であり、限定的ではないとみなされるべきである。
【００３５】
本開示を理解するために、本開示の実装例が例示され、以下の説明と一緒になって、本開示の原理を説明するのに役立つ添付の図面を参照して、ここで例として記載する。
【図面の簡単な説明】
【００３６】
【図１】本開示の例示的な実装例による創傷滲出液管理システムの上面図であり、特に、他の特徴の中のポンプ、包帯、および管を示す。
【図２】本開示の例示的な実装例による創傷滲出液管理システムの上面図であり、特に、創傷滲出液管理システムの包帯および可撓性コネクタの一部を示す。
【図３Ａ】本開示の例示的な実装例による創傷滲出液管理システムの図２の線３−３についての断面図であり、特に、包帯、可撓性コネクタの一部、および包帯の様々な構成要素を示す。
【図３Ｂ】創傷滲出液管理システムの図２の線３−３についての断面図の代替の実施形態であり、包帯、可撓性コネクタの一部、および包帯の様々な構成要素を示す。
【図４】図３Ａの創傷滲出液管理システムの拡大断面図であり、特に、矢印４−４で指示される領域を説明する。
【図５Ａ】本開示の例示的な実装例による創傷滲出液管理システムの分解斜視図である。
【図５Ｂ】本開示の創傷滲出液管理システムの分解斜視図の代替の実施形態である。
【図６】本開示の例示的な実装例による創傷滲出液管理システムの底面図であり、特に、創傷滲出液管理システムの取り外し可能なカバーおよび可撓性コネクタの一部を示す。
【図７】本開示の例示的な実装例による創傷滲出液管理システムの取り外し可能なコネクタの上面図であり、特に、接続された状態の取り外し可能なコネクタを示す。
【図８】図７の取り外し可能なコネクタの上面図であり、特に、取り外された状態の取り外し可能なコネクタを示す。
【発明を実施するための形態】
【００３７】
本明細書で論じられる創傷滲出液管理システムは多くの異なる形態で実装され得るが、図面に示され、かつ本開示が創傷滲出液管理システムの原理の例示として考慮されるべきであり、本開示の広範な態様を例示される実装例に限定することを意図するものではないという理解を伴う好ましい実装例を本明細書に詳細に記載する。
【００３８】
ここで図、具体的には、図１を参照して、創傷滲出液管理システム１０の一実施形態を示す。この実施形態の創傷滲出液管理システム１０は、創傷包帯１４、ポンプ１８、および管２２（圧力管２２とも称される）を有する。概して、創傷滲出液管理システム１０は、創傷治癒および創傷保護を容易にする。包帯１４は、以下に記載されるように、ユーザの皮膚に適用され、システム１０は、創傷治癒を助けるようにポンプ１８によって発生された負圧を利用する。包帯１４およびポンプ１８は、管２２を介して流体接続されている。ポンプ１８によって発生された負圧が管２２によって包帯１４に連通され、これにより包帯１４が創傷治癒の強化のために負圧を用いることを可能にする。
【００３９】
様々な実施形態では、ポンプ１８は、様々なユーザ入力に応答して負圧を発生させるように動作する。一実施形態では、ポンプ１８のユーザ制御部３０は、ポンプ１８上および／またはポンプ１８の遠方に配設される。ユーザ制御部３０は、ボタン、スイッチ、レバー、センサ、または他の制御デバイスのうちの１つ以上であってもよい。任意の共通のユーザ制御部３０が本開示の範囲内にあることが理解されるべきである。ポンプ１８はまた、ポンプ１８の現在の動作状態、状況、バッテリ寿命などをポンプユーザに知らせるために、ポンプ１８上に配設された１つ以上のインジケータ３４ａ、３４ｂ、３４ｃを有し得る。インジケータ３４ａ〜ｃは、発光ダイオード（ＬＥＤ）を含むライトであってもよいが、可聴音を発生させるためのスピーカ、または振動を発生させるための半径方向に非対称なフライホイールを有するモータなどの他のタイプのインジケータを使用することができる。指導的な印３６ａ、３６ｂ、３６ｃは、特定のインジケータ３４ａ〜ｃの動作の重要性をユーザに知らせるために、インジケータ３４ａ〜ｃのうちの１つ以上に関連付けられてもよい。しかしながら、いくつかの実装例では、ポンプ１８は、ユーザ入力なしで動作し、タイマー、遠隔信号、センサ読み取り、または他の刺激に応答して負圧を発生させる。
【００４０】
一実施形態では、ポンプ１８の動作の前に、ポンプ１８用のインジケータ３４ａ〜ｃは、好ましくは、照射されない。かかる状態では、ポンプ１８は、概して、負圧を発生させず、これは、ポンプ１８がオフの状況にあることに対応し得る。さらに、一実施形態では、インジケータ３４ａ〜ｃのすべてが照射状態に遷移するとき、ポンプ１８は、好ましくは、準備完了状態にあり、使用の準備ができている。さらに、一実施形態では、１つのインジケータ３４ａが照射状態のままで、残りのインジケータ３４ｂおよび３４ｃが非照射状態に遷移するとき、これはポンプ１８が動作状態にあるとの指示である。ポンプ１８の通常の動作は、負圧を発生させること、交互に負圧を発生させること、および／または負圧を発生させないことを含み得る。ポンプ１８は、ユーザ制御部３０の操作の結果として、オフの状況、準備完了状態、および動作状態のうちの１つ以上の間で遷移し得る。ポンプ状態を変更するためのユーザ制御部３０の操作は、所定の時間量についてのユーザ制御部３０の操作を含むか、および／または必要とし得る。
【００４１】
好ましい実施形態の動作状態では、ポンプ１８は、創傷で７５ｍｍＨｇの最小圧力および創傷で１２５ｍｍＨｇの最大圧力を発生させるが、ポンプ１８によって代替圧力を発生させることができる。一実施形態では、ポンプ１８は、第１の圧力閾値に到達するまで負圧を発生させる。第１の圧力閾値は、例えば、包括的に７５ｍｍＨｇ〜１２５ｍｍＨｇの間の値であってもよい。次いで、ポンプ１８は、第２の閾値圧力に到達するまで負圧の発生を控えることができ、この時点で、ポンプ１８は、第１の圧力閾値に再び到達するまで負圧を発生させることができる。ポンプの代替動作が許容される。
【００４２】
一実施形態では、図１に示されるように、ポンプ１８は、ポンプコネクタ３８によって圧力管２２に接続されている。ポンプコネクタ３８は、ポンプ１８と管２２との選択的な分離を可能にし得る。
【００４３】
一実施形態では、管２２は、遠位管部分４０および近位管状部分４２を備える。近位管状部分４２は、可撓性コネクタ５０の延長部であってもよい。図７および８に示されるように、分離可能なコネクタ４４は、遠位管部分４０と近位管状部分４２とを接合させることができる。図１に示されるように、ポンプコネクタ３８は、管２２の一端、好ましくは、管２２の遠位管４０の部分をポンプ１８に接続する。しかしながら、示されていない代替の実施形態では、ポンプコネクタ３８は、近位管状部分４２をポンプ１８に接続し得る。一実施形態では、遠位管部分４０は、圧力管２２の一部を形成し、可撓性で透明、部分的に透明であり、および／またはポリマー、金属、金属合金、もしくは任意の他の好適な材料から形成され得る。
【００４４】
図３Ａおよび４に移ると、一実施形態では、可撓性コネクタ５０は、包帯１４に構造的に接続されており、可撓性コネクタ管腔５４をさらに含む。可撓性コネクタ管腔５４は、可撓性コネクタ５０の一部または全体に沿って可撓性コネクタ５０内に配設され、ポンプ１８と包帯１４との間の流体連通を可能にする。可撓性コネクタ孔６０は、可撓性コネクタ管腔５４と包帯１４との間の流体連通を可能にする。可撓性コネクタ５０は、下部可撓性コネクタ部分６６および上部可撓性コネクタ部分６７を含み得る。下部可撓性コネクタ部分６６と上部可撓性コネクタ部分６７とを溶接、接着剤、または任意の他の接合技法によって接合させて、可撓性コネクタ５０を形成することができる。可撓性コネクタ５０は、好ましくは、ポリ塩化ビニル、ポリウレタン、または任意の他の好適な材料から形成され得る。一実施形態では、可撓性コネクタ５０は、略平面の外部表面を有する。
【００４５】
一実施形態では、可撓性コネクタ管腔５４内に圧力搬送構造６２が配置される。圧力搬送構造６２は、可撓性コネクタ５０が可撓性コネクタ管腔５４内の流体の流れおよび／または圧力を、可撓性コネクタ５０が薄壁の可撓性材料で作製されたときに虚脱することなく搬送することを可能にし、それによって包帯１４がポンプ１８によって発生された負圧を経験するかまたは呈することを可能にする。圧力搬送構造６２は、ナイロンを含むが、これに限定されない様々な材料を含み得る。さらに、圧力搬送構造６２は、格子構造５３で構成され得る。圧力搬送構造６２の形状、材料、および配列は、ポンプ１８によって発生される負圧を考慮し、かつ一般的な創傷滲出液管理システム１０の使用および位置決めを考慮した可撓性コネクタ５０の形状、可撓性、材料、または配列によって別様に妨害され得る、可撓性コネクタ５０に沿った連続的な流体の流れを可能にする。
【００４６】
図３Ａ、４、および５に最もよく示されるように、包帯１４は、好ましくは、一実施形態では、吸収性材料で形成された上部吸収剤インジケータ部材７０であるインジケータ７０を含む。インジケータ７０は、信号、例えば、視覚、可聴、振動などの信号を生成し得る。インジケータ７０が吸収性材料で作製されている場合、吸収性材料は、創傷滲出液または他の流体の取り込み時に湿って滑りやすいか、またはゼラチン状になる吸湿性繊維であり得るゲル形成繊維を含み得る。ゲル形成繊維は、これらの構造的完全性を滲出液の吸収時に保持し得るか、またはこれらの繊維状形態を失って非晶質もしくは無構造のゲルとなり得る。いくつかの実装例では、ゲル形成繊維は、ナトリウムカルボキシメチルセルロース繊維、化学修飾されたセルロース繊維、ＷＯ２０１２／０６１２２５に記載されているようなアルキルスルホネート修飾セルロース繊維、ペクチン繊維、アルギン酸繊維、キトサン繊維、ヒアルロン酸繊維、他の多糖繊維、またはガム由来の繊維である。
【００４７】
セルロース繊維は、模範的に、グルコース単位当たり少なくとも０．０５個のカルボキシメチル基の置換度を有する。ゲル形成繊維は、（自由膨潤法によって測定される場合）繊維１グラム当たり少なくとも２グラムの０．９％生理食塩水、但し、繊維１グラム当たり３０グラム未満の０．９％の生理食塩水の吸収率を有する。
【００４８】
ゲル形成繊維は、好ましくは、布帛、特にＡｚｋｏ  Ｎｏｂｅｌ  ＵＫ  Ｌｔｄ．のＰＣＴ  ＷＯ００／０１４２５に記載されているようなカルボキシメチル化されたセルロース繊維の形態の化学修飾されたセルロース繊維である。カルボキシメチル化されたセルロース布帛は、模範的に、（ＷＯ００／０１４２５に定義される）ＩＲ分光法によって測定される場合に、０．１２〜０．３５の間の置換度を有し、さらに、０．２０〜０．３０の間の置換度を有し得る。カルボキシメチル化されたセルロース布帛は、吸水性が増加するように、織布または不織布のセルロース布帛をカルボキシメチル化することによって形成され得る。布帛は、ＢＳ  ＥＮ  １３７２６−１（２００２）「Ｔｅｓｔ  ｍｅｔｈｏｄｓ  ｆｏｒ  ｐｒｉｍａｒｙ  ｗｏｕｎｄ  ｄｒｅｓｓｉｎｇｓ」の３．２節「Ｆｒｅｅ  ｓｗｅｌｌ  ａｂｓｏｒｐｔｉｖｅ  ｃａｐａｃｉｔｙ」に記載されている方法によって測定される場合、１０ｇ／ｇの塩化ナトリウム／カルシウム〜３０ｇ／ｇの塩化ナトリウム／カルシウムの間の吸収性を有し得る。いくつかの布帛は、１５ｇ／ｇ〜２５ｇ／ｇまたは１５ｇ／ｇ〜２０ｇ／ｇの塩化ナトリウム／カルシウムの吸収性を有する。ゲル形成繊維を軽度にカルボキシメチル化して、吸収剤層がゲルブロックする傾向を低減させ、創傷から包帯１４を通る流体の経路をブロックすることができる。
【００４９】
セルロース布帛は、セルロース繊維のみからなり得るが、同様に非セルロース織物繊維またはゲル形成繊維を含有し得る。セルロース繊維は、公知の種類のものであり得、連続フィラメント糸および／またはステープル繊維を含み得る。カルボキシメチル化は、水性系中で布帛をアルカリおよびカルボキシメチル化剤、例えば、クロロ酢酸と接触させることによって遂行され得る。布帛は、不織布タイプのものであり得、さらに水流交絡され得、したがって、微視的なスケールで一連の孔を備える。吸収性材料はまた、滲出液を吸収することができる一方で、例えば、発泡体、スポンジ、または繊維ベースの材料の中を通る流体の通過を可能にする任意の吸収剤を含み得る。
【００５０】
上部吸収剤インジケータ部材７０は、好ましくは、バッキング層８２の上にあり、可撓性コネクタ５０に隣接、接合、および／または接触してもよく、同様に可撓性コネクタ孔６０に隣接していてもよい。図４に最もよく示されるように、一実施形態では、上部接着剤７４の第１の側は、上部吸収剤インジケータ部材７０および可撓性コネクタ５０の下部可撓性コネクタ部分６６の両方に接着される。下部可撓性コネクタ部分６６は、好ましくは、上部接着剤７４の第１の側の部分に、上部吸収剤インジケータ部材７０が接着される上部接着剤７４の部分から半径方向外方に接着される。上部接着剤７４はまた、上部接着剤７４の第１の側から上部接着剤７４の第２の側に延在し、上部吸収剤インジケータ部材７０に隣接するように配列されて、上部吸収剤インジケータ部材７０を通って引っ張られる負圧の真空効果との干渉を限定する、上部接着剤孔７８を有する。
【００５１】
一実施形態では、インジケータ部材７０および可撓性コネクタ５０の両方と、包帯１４の複数の吸収剤層との間にバッキング層８２が配設されている。一実施形態では、バッキング層８２は、上部接着剤７４の下に配設されている。バッキング層８２は、好ましくは、バッキング層８２を通って配設され、バッキング層８２の第１の表面８３からバッキング層の第２の表面８４まで延在するバッキング層孔８６を有する。したがって、一実施形態では、上部接着剤７４は、バッキング層８２の第２の表面８４に隣接して提供される。アセンブリの際、バッキング層８２の孔８６は、上部接着剤７４内の孔７８に隣接して提供される。いくつかの実装例では、バッキング層８２は、液体および空気の侵入に抵抗しつつ、水蒸気透過を可能にする、細菌およびウイルスのバリア層である。このようにして、バッキング層８２は、水蒸気がバッキング層８２を通って逃げることを可能にすることによって、包帯１４の全体的な流体処理能力を高めつつ、創傷または包帯１４への負圧の印加を可能にする。バッキング層８２は、ＢＳ  ＥＮ  １３７２６−２  ２００２「Ｔｅｓｔ  ｍｅｔｈｏｄｓ  ｆｏｒ  ｐｒｉｍａｒｙ  ｗｏｕｎｄ  ｄｒｅｓｓｉｎｇｓ  Ｐａｒｔ  ２  Ｍｏｉｓｔｕｒｅ  ｖａｐｏｕｒ  ｔｒａｎｓｍｉｓｓｉｏｎ  ｒａｔｅ  ｏｆ  ｐｅｒｍｅａｂｌｅ  ｆｉｌｍ  ｄｒｅｓｓｉｎｇｓ」に記載されている方法によって測定された、２４時間当たり少なくとも１０，０００ｇ／ｍ２、または２４時間当たり１０，０００ｇ／ｍ２〜５０，０００ｇ／ｍ２の範囲の水蒸気透過率（ＭＶＴＲ）を有し得る。バッキング層８２は、部分的または完全に透明であってもよい。バッキング層８２は、ポリウレタンの層またはフィルム、例えば、Ｃｏｖｅｓｔｒｏ製のＥｐｕｒｅｘ  ９１２  Ｔ／１２９、またはＣｏｖｅｒｉｓ製のＩｎｓｐｉｒｅ  ２３５０、またはＭｙｌａｎ製のＭｅｄｉｆｉｌｍ  ４２６であってもよい。
【００５２】
図４および５Ａに示されるように、一実施形態では、バッキング層接着剤９０と称される接着剤９０の層が、バッキング層８２の第２の表面８２ｂに隣接して配設されている。バッキング層接着剤９０は、好ましくはバッキング層接着剤９０を通って、バッキング層接着剤９０の第１の表面からバッキング層接着剤９０の第２の表面まで延在するバッキング層接着剤孔９４を含む。バッキング層接着剤９０の孔９４は、好ましくは、上部接着剤部材７４の孔７８に隣接して位置決めされる。好ましい実施形態では、可撓性コネクタ孔６０、上部吸収剤インジケータ部材７０、上部接着剤孔７８、バッキング層孔８６、およびバッキング層接着剤孔９４はすべて、流体の流れが可撓性コネクタ孔６０から、上部吸収剤インジケータ部材７０を横断して、上部接着剤孔７８、バッキング層孔８６、およびバッキング層接着剤孔９４を通ることが可能なように、実質的に同心円状に配列されることが理解されるべきである。さらに、好ましい実施形態では、上部可撓性コネクタ部分６７、下部可撓性コネクタ部分６６、上部吸収剤インジケータ部材７０、上部接着剤７４、バッキング層８２、およびバッキング層接着剤９０が、創傷滲出液管理システム１０内に連続して配列されることも理解されるべきである。
【００５３】
図３Ａを参照すると、包帯１４は、いくつかの実装例では、内側エンベロープ構造１００を含む。内側エンベロープ構造１００は、好ましくは、滲出液管理を助けるために、吸収性材料の複数の層を収容する。図３Ａ、４、および５に最もよく示されるように、一実施形態では、内側エンベロープ構造１００は、上部エンベロープ層と下部エンベロープ層とによって画定される。上部エンベロープ層は、周辺セクション１０８および中央セクション１０９を有し得る。上部エンベロープ層の周辺セクション１０８はまた、上部周辺セクション１０８と称されることがあり、上部エンベロープ層の中央セクション１０９はまた、上部中央セクション１０９と称されることがある。同様に、下部エンベロープ層は、周辺セクション１１６および中央セクション１１７を有し得る。下部エンベロープ層の周辺セクション１１６は、下部周辺セクション１１６と称されることがあり、下部エンベロープ層の中央セクション１１７は、下部中央セクション１１７と称されることがある。
【００５４】
創傷管理システム１０の包帯１４の代替の実施形態を図３Ｂおよび５Ｂに示す。この代替の実施形態では、不織布スパンレース層１１９は、好ましくは、創傷接触層１１２の第２の表面１１３にステッチボンドされる。一実施形態では、再生セルロース糸がステッチボンドのために使用される。さらに、一実施形態では、不織布スパンレース材料１１９は、実質的に等しい割り当てのビスコース繊維およびポリエステル繊維、ならびに好ましくは、５％未満のアクリルコポリマー結合剤を含む８０ｇｓｍの不織布層で構成され得る。加えて、圧力分配層１０４と複数の吸収性材料層１３０との間に、ポリアミド層などの熱可塑性スパンレース層１２１を設けることができる。熱可塑性スパンレース層１２１は、第１の表面１２３であって、その外周で圧力分散層１０４に熱結合され得る、第１の表面１２３と、第２の表面１２５であって、その外周で複数の吸収性材料層１３０の周りで不織布スパンレース層１１９に同様に熱結合され得る、第２の表面１２５とを有する。したがって、熱可塑性スパンレース層１２１および不織布スパンレース層１１９は、吸収性材料層１３０の周りに内側エンクロージャまたはエンベロープを形成する。本実施形態の内側エンベロープまたはエンクロージャは、上部エンベロープ層と下部エンベロープ層とによって画定される。本実施形態の上部エンベロープ層は熱可塑性スパンレース層１２１を含み、本実施形態の下部エンベロープ層は不織布スパンレース層１１９を含む。
【００５５】
したがって、一実施形態では、図３Ａに示されるように、上部エンベロープ層は圧力分散層１０４であり、下部エンベロープ層は創傷接触層１１２である。代替の実施形態では、図３Ｂに示されるように、上部エンベロープ層は熱可塑性スパンレース層１２１であり、下部エンベロープ層は不織布スパンレース層１１９である。
【００５６】
いくつかの実装例では、圧力分散層１０４は、圧力分配層とも称され、圧力分散層１０４を横方向に横切って圧力または負圧を分配するのに役立つ。圧力分散層１０４は、気体、液体、および水蒸気透過性であってもよく、負圧を包帯１４上に横方向に分配することによって、包帯１４のより大きな部分への滲出液のアクセスを助けるのに役立つ。このようにして、包帯１４による滲出液の取り込みが最大になり、創傷または包帯１４への負圧のより均一な移行が最適化される。圧力分配層１０４は、別の好適な網状発泡体またはポリウレタン発泡体であるＣａｌｉｇｅｎ製のタイプＸＤ４２００ＡＳのポリエステル発泡体などの発泡体から形成され得る。
【００５７】
いくつかの実施形態では、創傷接触層１１２は、吸収性材料で形成され得る。さらに、創傷接触層１１２は、下部エンベロープ層１１２の強度および物理的特性を高めるために、構造的に強化された材料または構造で構成され得る。例えば、創傷接触層１１２をカルボキシメチル化されたセルロース繊維から形成することができる。創傷接触層１１２の構造強化材料は、ステッチ１１８を含み得る。いくつかの実装例では、創傷接触層１１２は、ナイロン製の強化ステッチ１１８を含む強化ステッチ１１８を有する吸収性材料から形成される。また、圧力分散層１０４および創傷接触層１１２は、上記の吸収性材料のいずれか１つから形成され得ることが理解される。
【００５８】
創傷接触層１１２は、第１の表面１１４および第２の表面１１３を有する。一実施形態では、創傷接触層１１２の第１の表面１１４は、創傷に隣接するユーザの皮膚に包帯１４が接着されるときに、ユーザの創傷に接触するための外側層である。さらに、一実施形態では、以下に記載されるように、創傷接触層１１２の第２の表面１１３は第１の表面１１４に対向し、第２の表面１１３は包帯１４内の複数の吸収性材料層に隣接する内側層である。
【００５９】
図３Ａに最もよく示されるように、上部エンベロープ層１０４の周辺セクション１０８（すなわち、一実施形態では圧力分散層１０４）と下部エンベロープ層１１２の周辺セクション１１６（すなわち、一実施形態では創傷接触層１１２）とを接合することができる。上部周辺セクション１０８と下部周辺セクション１１６とを、接着剤、溶接、ステッチ、または任意の他の一般的な接合方法によって接合することができる。上部周辺セクション１０８および下部周辺セクション１１６の接合は、実質的に内側エンベロープ１００を形成し、さらに、エンベロープ１００内に配設されたエンベロープ空洞１２０を画定する。
【００６０】
好ましい実施形態では、複数の吸収性材料層１３０ａ、１３０ｂ、１３０ｃ、１３０ｄ、１３０ｅ、１３０ｆ、１３０ｇ、１３０ｈなどは、いくつかの実装例において、互いに隣接して実質的にエンベロープ空洞１２０内に配設される。一実施形態では、エンベロープ空洞１２０内に吸収性材料の８つの層がある。いくつかの実装例では、吸収性材料層１３０ａ〜ｈは、上に記載されるものなどのゲル形成繊維を含み、ゲル形成繊維は、ナトリウムカルボキシメチルセルロース繊維であってもよい。さらに、吸収性材料層１３０ａ〜ｈは、上に記載される吸収性材料、水膨潤性繊維、またはゲル形成繊維のいずれかを含み得る。例えば、吸収性材料層１３０ａ〜ｈは、カルボキシメチル化されたセルロース繊維から形成されてもよい。
【００６１】
いくつかの実装例では、吸収性材料層１３０ａ〜ｈのうちの１つ以上は、図５Ａに示されるように、１つ以上の開窓１２９を含む。開窓１２９は、吸収性材料層１３０ａ〜ｈ上の１つ以上の方向、好ましくは、長手方向軸に対して平面方向にあり、かつ吸収性材料の長手方向軸を横断するスリットまたは開口部１２９であり得、これらは、包帯１４の様々な層１３０ａ〜ｈを通る滲出液の流れを管理することを助ける。特に、開窓１２９は、創傷滲出液が好ましい方向に移動するか、または吸収されることを促進または可能にする。いくつかの実装例では、開窓１２９は、創傷滲出液が、１つの層から別の層に軸方向に対向して、吸収性材料層の各層の周りを横方向に移動することを促進または可能にする。開窓１２９は、切断などによって機械的に形成され得る。開窓１２９は、好ましくは、約１０ｍｍの長さのスリットであり、スリットは、好ましくは吸収性材料層の各々を横切って行および列で垂直および水平に互い違いになり得る。開窓は、すべて吸収性材料層の吸収能力を完全に使用するためのものであり、これらの層を通る負圧透過を助けることもできる。
【００６２】
様々な実施形態において、包帯１４は、接着剤層１５０を含む。接着剤層１５０は、患者の皮膚に包帯１４を固設するのを助けることができる。一実施形態では、接着剤層１５０はまた、中に内側エンベロープ１００が存在する、バッキング層８２を有する外部ハウジングまたはエンベロープを作り出すのを助けることができる。図３Ａに示されるように、一実施形態では、接着剤層１５０は、バッキング層８２および創傷接触層１１２の両方に接続されている。特に、かかる実施形態では、バッキング層８２は、接着剤層１５０の外部部分に、創傷接触層１１２が接着される接着剤層１５０の内部部分から半径方向外方に接着される。図５Ａに最もよく示されるように、一実施形態では、接着剤層１５０は、中央孔１５４を有する外周形状を有する。包帯１４がユーザの皮膚に適用されると、接着剤層１５０内の孔１５４は、ユーザの皮膚が創傷接触層１１２に接触するか、または創傷接触層１１２と流体連通することを可能にする。
【００６３】
図４に最もよく示されるように、一実施形態では、バッキング層の第１の表面８３は、好ましくは、圧力分散層１０４および接着剤層１５０に隣接して接触しているが、可撓性コネクタ５０は、バッキング層の第２の表面８４上に配設されている。
【００６４】
取り外し可能なカバー１５６は、接着剤層１５０の外側表面に接着され得る。図３Ａおよび５に示されるように、一実施形態では、取り外し可能なカバー１５６は、創傷接触層１１２およびバッキング層８２が接着される接着剤層１５０の反対側に位置する、接着剤層１５０の外側表面に接着され得る。折り畳まれた把持セクション１５８ａ、１５８ｂを有する複数のセクション１５６ａ、１５６ｂを含み得る取り外し可能なカバー１５６は、接着剤層１５０から取り外し可能である。したがって、好ましい実施形態では、取り外し可能なカバー１５６は、取り外し可能なカバー１５６が接着剤層１５０に接着されているときに接着剤層１５０を保護するが、取り外し可能なカバー１５６が包帯１４の使用のために接着剤層１５０から取り外されると、接着剤層１５０の外部表面が露出され、ユーザの皮膚に包帯１４を取り外し可能に固設することができる。
【００６５】
図７および８に移って、分離可能なコネクタ４４を、圧力管２２の遠位管４０および可撓性コネクタ５０と共に詳細に示す。一実施形態では、遠位管４０は、遠位接続部分１７０を含み、好ましくは、その一端で終端する。遠位接続部分１７０は、遠位接続部分１７０の周りに半径方向に配列された１つ以上の遠位スプライン１７２を含み得る。遠位スプライン１７２は、遠位管４０の一部の周りに配設されたトルク部材１７６の対応する内部スプライン１７４と係合する。トルク部材１７６は、遠位接続部分１７０を回転させて遠位接続部分１７０を近位接続部分１８８に固設するのを助ける。
【００６６】
遠位接続部分１７０はまた、好ましくは、螺旋ねじ山であり得るねじ山１８０などの第１の嵌合部材１８０を含む。ねじ山１８４などの対応する第２の嵌合部材１８４を近位接続部分１８８内に配設することができ、その結果、遠位接続部分１７０は、第１の嵌合部材１８０と第２の嵌合部材１８４との係合を介して近位接続部分１８８に取り外し可能に取り付けることができる。
【００６７】
遠位接続部分１７０の対応する遠位スプライン１７２と係合することができるトルク部材１７６の内部スプライン１７４の組み合わせは、ユーザが、近位接続部分１８８に対して遠位接続部分１７０をより容易に操作して回転させて、遠位接続部分１７０を近位接続部分１８８に選択的に着脱することを可能にする。図７は、取り付けられた状態の遠位接続部分１７０および近位接続部分１８８を示し、図８は、取り外された状態の遠位接続部分１７０および近位接続部分１８８を示す。
【００６８】
図７および８に示されるように、一実施形態では、近位接続部分１８８は、実質的に近位接続部分１８８と可撓性コネクタ５０との間に配設されたインターフェース管１９４に接続され、インターフェース管１９４と流体連絡する。遠位管４０、遠位接続部分１７０、近位接続部分１８８、インターフェース管１９４、および可撓性コネクタ５０はすべて、管２２に沿って互いに流体連通しているため、ポンプ１８と包帯１４との間の流体連通を可能にすることが理解されるべきである。
【００６９】
好ましい実施形態では、近位接続部分１８８は、一方向弁１９８を含む。一方向弁１９８は、流体が一方向弁１９８を通って、第１の方向に移動することを可能にしつつ、流体が一方向弁１９８を通って、第２の方向に移動することを実質的にまたは完全に防止する。一例として、一方向弁１９８は、流体が近位接続部分１８８を通って、ポンプ１８に向かって、包帯１４から離れて流れることを可能にしつつ、流体がポンプ１８から離れて、包帯１４に向かって流れることを防止する。かかる配列は、図８に示されるように、遠位接続部分１７０および近位接続部分１８８が取り外し可能に取り外されるときに、包帯１４が負圧を継続して経験または呈することを可能にし、ポンプ１８から取り外されるときであっても、ユーザの快適性、包帯１４の可撓性および有用性を増加させる。
【００７０】
創傷滲出液管理システム１０はまた、好ましくは、包帯１４の流体処理能力が達成されたかまたはまもなく達成されること、および滲出液が包帯１４から漏出するかまたはポンプ１８に入り込むことを回避するために包帯１４を変更しなければならないことを指示するインジケータシステム２００を含む。インジケータシステム２００は、信号、例えば、視覚、可聴、振動などの信号を生成し得る。一例として、インジケータシステム２００は、上部吸収剤インジケータ部材７０、バッキング層８２、圧力分散層１０４、創傷接触層１１２、吸収性材料層１３０ａ〜ｈ、または可撓性コネクタ５０のうちの１つ以上の中に配設されたゲル化吸収剤のうちの１つ以上を含む。ゲル化吸収剤は、上に記載される吸収性材料を含み得る。インジケータシステム２００は、ゲルを形成することによって、滲出液が吸収されたことを視覚的に指示し得る。インジケータシステム２００はまた、創傷滲出液がインジケータに入り込んだ結果として、創傷滲出液が包帯内のいくつかの構成要素もしくは材料に接触した結果として、滲出液もしくは別の流体によって活性化された色を変化させるダイの結果として色を変化させることによって、またはいくつの他の手段によって、滲出液が吸収されたことを視覚的に指示し得る。
【００７１】
いくつかの実装例では、創傷滲出液管理システム１０、および特に包帯１４を、複数の状態で配設することができる。例えば、包帯１４は、包帯１４が実質的に滲出液および流体を含まない第１の状態にあり得る。第１の状態は、第１の体積またはサイズを有する包帯１４の吸収性材料中の繊維に対応し得る。加えて、第１の状態では、繊維間の通路は第１の体積を有する。包帯１４はまた、包帯１４の吸収性材料中の繊維が滲出液を吸収し、部分的にまたは完全に滲出液で飽和された第２の状態にあり得る。第１の状態は、第２の体積またはサイズを有する包帯１４の吸収性材料中の繊維に対応し得る。第１の体積またはサイズは、第２の体積またはサイズよりも比較的小さい。したがって、繊維間の通路または開口部は比較的大きい。同様に、第２の状態では、繊維が創傷滲出液と接触した際に膨潤した後に、繊維間の通路の体積またはサイズが低下し、かつ繊維間の通路または開口部が比較的小さいか、または繊維が通路または開口部を閉じる。負圧が継続的に印加されると、滲出液が吸収性材料の飽和した繊維を通ってインジケータシステム２００に引き出される。
【００７２】
言い換えれば、図１は、包帯の他の層を完全に覆う外側カバー層を備える創傷包帯、および導管または管を示す。カバー層の下は、カバー層の下に中央に隆起したアイランドを形成する吸収剤パッドである。一実施形態では、吸収剤パッドは、複数の吸収性材料層を含む。
【００７３】
吸収剤層は、創傷からの滲出液を吸収することができる。外側カバー層は、図３Ａ、４、および５に示されるように、創傷から最も遠い吸収剤層の側を覆い、バッキング層とも称されるカバー層は、創傷に負圧が印加されることを可能にするように適合され、吸収剤層と流体連通するポートを有する。導管または管は、ポートと負圧源との間の流体連通を可能にし、導管は、接着剤リングによって外側層に接続されている。インジケータ手段または上部吸収剤インジケータ部材がポート内に設けられる。一実施形態では、インジケータ手段は、ゲル形成繊維の層を含む。代替的に、インジケータ手段はまた、依然としてポート内であるが、カバー層の上に設けられてもよい。包帯は、ポリアミドレース層からなる熱シール可能なレースの層によって吸収剤層に接着された創傷接触層をさらに備える。包帯は、滲出液、および好ましくは吸収剤層を横切って滲出液を広げ、包帯を横切る負圧の印加を円滑にするのに役立つポリエステル発泡体の、圧力分散層とも称される圧力分配層をさらに備える。さらなる熱シール可能なレース層を分配層とカバー層との間に設けることができる。熱シール可能な層は、層同士を接着するのを助ける。吸収剤層、創傷接触層、およびインジケータ手段は、カルボキシメチル化されたセルロース布帛の層（複数可）の形態のゲル形成繊維を含む。
【００７４】
一実施形態では、吸収剤層は、図５Ａに示されるように、カバー層のフレーム内にアイランドを形成するように、カバー層よりも面積が小さい。創傷を取り囲む皮膚に包帯をシールするように、創傷に面するカバー層の側のフレームにシリコーン接着剤を適用することができる。代替的に、包帯は、接着剤パッド上に窓を備えるかもしくは備えない包帯の創傷に面する表面を覆う有孔接着剤によって、ならびに／またはカバー層の外側表面および包帯を取り囲む皮膚に適用された包帯ストリップによって創傷に固設され得る。
【００７５】
使用時に、包帯は、創傷を取り囲む皮膚と、導管の遠位端に位置するコネクタによって負圧源に接続された導管とに固設され得る。負圧は、創傷から吸収剤層を通って、ポート、および導管の遠位端まで流体を導くための経路を貫く負圧の印加によって創傷に印加される。滲出液は、創傷接触層によって吸収され、密接な接触により吸収剤層に透過される。吸収剤層内に存在し得る開窓は、滲出液の吸光度および負圧の印加を助ける。滲出液は吸収剤層によって吸収されると、吸収剤層のより大きな面積が滲出液によってアクセスされ、吸収剤層のより大きい能力が使用されるように、分配層の下に広がる。一旦、吸収剤層の吸収能力に到達すると、滲出液はポートに向かって広がり、ゲル化するインジケータ手段によって吸収される。ゲルの形成およびインジケータ手段の考えられる色の変化は、包帯のユーザに見え、包帯を変更する必要があることを指示する。インジケータ手段は同様にまたは代替的に、導管内もしくはそのロック内に存在してもよく、そこでは、インジケータ手段はまた、ユーザが見ることができ、滲出液がポンプまたは他の負圧源内に引き込まれる前に包帯を変更するための追加の時間を提供し得る。
【００７６】
いくつかの実装例を例示し説明してきたが、本開示の趣旨から大幅に逸脱することなく多くの修正が思い浮かぶであろうし、保護の範囲は添付の特許請求の範囲の範囲によってのみ限定される。さらに、本開示は、増加した構造強度、改善された審美的デザイン、可撓性サインベースの配置を容易にするフットプリント、および容易なサインアセンブリ運搬を可能にするホイール配列を有するサインベースならびにサインアセンブリを提供する。
【００７７】
開示されるシステムおよび方法は、述べられる限度および利点、ならびにこれらの中に内在する限度および利点を達成するようによく適合されている。本開示の教示が異なるが、本明細書の教示の利益を有する当業者には明らかである同等の様式で修正および実施され得るので、上に開示される特定の実装例態は例示に過ぎない。さらに、以下の特許請求の範囲に記載されるもの以外に、本明細書に示される構築物または設計の詳細に対する限定を意図するものではない。したがって、上に開示される特定の例示的な実装例は、変更され、組み合わされ、または修正されてもよく、かかる変形例はすべて、本開示の範囲内にあると考慮されることは明らかである。本明細書に例示的に開示されるシステムおよび方法は、本明細書に具体的に開示されていない任意の要素および／または本明細書に開示される任意の任意選択の要素の不在下で好適に実施され得る。組成および方法は、様々な構成要素もしくはステップを「含む（ｃｏｍｐｒｉｓｉｎｇ）」、「含む（ｃｏｎｔａｉｎｉｎｇ）」、または「含む（ｉｎｃｌｕｄｉｎｇ）」という用語で記載されているが、組成および方法はまた、様々な構成要素およびステップ「から本質的になる（ｃｏｎｓｉｓｔ  ｅｓｓｅｎｔｉａｌｌｙ  ｏｆ）」もしくは「からなる（ｃｏｎｓｉｓｔ  ｏｆ）」こともある。上に開示されるすべての数および範囲は、ある量だけ変化し得る。下限および上限を有する数値範囲が開示されるときはいつでも、範囲内に入る任意の数および任意の包含範囲が具体的に開示される。特に、本明細書に開示される（「約ａ〜約ｂ（ｆｒｏｍ  ａｂｏｕｔ  ａ  ｔｏ  ａｂｏｕｔ  ｂ）」、または同等に「約ａ〜ｂ（ｆｒｏｍ  ａｐｐｒｏｘｉｍａｔｅｌｙ  ａ  ｔｏ  ｂ）」、または同等に「約ａ〜ｂ（ｆｒｏｍ  ａｐｐｒｏｘｉｍａｔｅｌｙ  ａ−ｂ）」の形態の）値のあらゆる範囲は、値のより広い範囲内に包含されるあらゆる数および範囲を記載するように理解される。また、特許請求の範囲の中の用語は、別様に特許権者によって明白かつ明確に定義されていない限り、これらの単純な通常の意味を有する。さらに、特許請求の範囲で使用される場合、不定冠詞「ａ」または「ａｎ」は、それが紹介する要素のうちの１つまたは１つ以上を意味するように本明細書において定義される。本明細書中の単語または用語の使用に矛盾があり、かつ参照によって本明細書に組み込まれ得る１つ以上の特許または他の文献がある場合、本明細書と一致する定義を採用するべきである。
【００７８】
本明細書で使用される場合、項目のいずれかを分離するために「および」または「または」という用語を用いて一連の項目に先行する「の少なくとも１つ」という語句は、リストの各品物（すなわち、各項目）ではなく、リスト全体を修飾する。「の少なくとも１つ」という語句は、項目のいずれか１つ、および／または項目の任意の組み合わせの少なくとも１つ、および／または項目の各々の少なくとも１つのうちの少なくとも１つを含む意味を可能にする。例として、「Ａ、Ｂ、およびＣのうちの少なくとも１つ」または「Ａ、Ｂ、またはＣのうちの少なくとも１つ」という語句は各々、Ａのみ、Ｂのみ、またはＣのみ；Ａ、Ｂ、およびＣの任意の組み合わせ；および／またはＡ、Ｂ、およびＣの各々の少なくとも１つを指す。
【図１】
2019521726.tif 000003
【図２】
2019521726.tif 000004
【図３Ａ】
2019521726.tif 000005
【図３Ｂ】
2019521726.tif 000006
【図４】
2019521726.tif 000007
【図５Ａ】
2019521726.tif 000008
【図５Ｂ】
2019521726.tif 000009
【図６】
2019521726.tif 000010
【図７】
2019521726.tif 000011
【図８】
2019521726.tif 000012
【国際調査報告】
2019521726.tif 000013
2019521726.tif 000014